【手続補正書】
【提出日】平成21年1月15日(2009.1.15)
【手続補正１】
【補正対象書類名】特許請求の範囲
【補正対象項目名】全文
【補正方法】変更
【補正の内容】
【特許請求の範囲】
【請求項１】
撮影に係る制御が予め設定された複数の撮影モードの中から１つの撮影モードを設定する撮影モード設定手段と、
該撮像装置の傾きを検出する傾き検出手段と、
前記傾き検出手段により検出された傾きに応じた傾きガイド表示を表示手段に表示するための表示処理手段と、
前記撮影モード設定手段にて設定される撮影モードに応じて、前記傾きガイド表示の表示を制御する表示制御手段とを有することを特徴とする撮像装置。
【請求項２】
前記表示制御手段は、前記傾き検出手段により検出された傾きに応じて前記傾きガイド表示の表示と非表示を切り替えて表示するとともに、前記撮影モード設定手段にて設定される撮影モードに応じて、前記傾きガイド表示の表示と非表示を切り替える傾きを変更することを特徴とする請求項１に記載の撮像装置。
【請求項３】
前記表示制御手段は、前記撮影モード設定手段にて設定される撮影モードが特定の撮影モードである場合に、前記傾きガイド表示の表示と非表示を切り替える傾きを、それ以外の撮影モードが設定された場合よりも小さくすることを特徴とする請求項１に記載の撮像装置。
【請求項４】
前記表示処理手段は、前記傾き検出手段により検出された傾きを誇張した傾きガイド表示を前記表示手段に表示することが可能であり、
前記表示制御手段は、前記撮影モード設定手段にて設定される撮影モードに応じて、前記傾きガイド表示の誇張の度合いを変更することを特徴とする請求項１乃至３のいずれか１項に記載の撮像装置。
【請求項５】
前記表示制御手段は、前記撮影モード設定手段にて設定される撮影モードが特定の撮影モードである場合に、前記傾きガイド表示の誇張の度合いを高くすることを特徴とする請求項４に記載の撮像装置。
【請求項６】
撮影に係る制御が予め設定された複数の撮影モードの中から１つの撮影モードを設定する撮影モード設定手段と、
該撮像装置の傾きを検出する傾き検出手段と、
前記傾き検出手段により検出された傾きに応じた傾きガイド表示を表示手段に表示するための表示処理手段と、
前記撮影モード設定手段にて設定される撮影モードに応じて、前記傾き検出手段の検出感度を変更する検出感度変更手段とを有することを特徴とする撮像装置。
【請求項７】
前記検出感度変更手段は、前記撮影モード設定手段にて設定される撮影モードが特定の撮影モードである場合に、前記傾き検出手段の検出感度を上げることを特徴とする請求項６に記載の撮像装置。
【請求項８】
前記特定の撮影モードは、風景撮影に適した設定を行う撮影モードであることを特徴とする請求項３、５、７のいずれか１項に記載の撮像装置。
【請求項９】
撮影に係る制御が予め設定された複数の撮影モードの中から１つの撮影モードを設定する撮影モード設定手段と、該撮像装置の傾きを検出する傾き検出手段とを備え、前記傾き検出手段により検出された傾きに応じた傾きガイド表示を表示手段に表示する撮像装置の制御方法であって、
前記撮影モード設定手段にて設定される撮影モードに応じて、前記傾きガイド表示の表示を制御することを特徴とする撮像装置の制御方法。
【請求項１０】
撮影に係る制御が予め設定された複数の撮影モードの中から１つの撮影モードを設定する撮影モード設定手段と、該撮像装置の傾きを検出する傾き検出手段とを備え、前記傾き検出手段により検出された傾きに応じた傾きガイド表示を表示手段に表示する撮像装置の制御方法であって、
前記撮影モード設定手段にて設定される撮影モードに応じて、前記傾き検出手段の検出感度を変更することを特徴とする撮像装置の制御方法。
【請求項１１】
撮影に係る制御が予め設定された複数の撮影モードの中から１つの撮影モードを設定する撮影モード設定手段と、該撮像装置の傾きを検出する傾き検出手段とを備え、前記傾き検出手段により検出された傾きに応じた傾きガイド表示を表示手段に表示する撮像装置を制御するためのコンピュータプログラムであって、
前記撮影モード設定手段によって設定される撮影モードに応じて、前記傾きガイド表示の表示を制御する処理をコンピュータに実行させることを特徴とするコンピュータプログラム。
【請求項１２】
撮影に係る制御が予め設定された複数の撮影モードの中から１つの撮影モードを設定する撮影モード設定手段と、該撮像装置の傾きを検出する傾き検出手段とを備え、前記傾き検出手段により検出された傾きに応じた傾きガイド表示を表示手段に表示する撮像装置を制御するためのコンピュータプログラムであって、
前記撮影モード設定手段にて設定される撮影モードに応じて、前記傾き検出手段の検出感度を変更する処理をコンピュータに実行させることを特徴とするコンピュータプログラム。
【請求項１３】
請求項１１又は１２に記載のコンピュータプログラムを記録したことを特徴とするコンピュータ読み取り可能な記録媒体。
【手続補正２】
【補正対象書類名】明細書
【補正対象項目名】０００８
【補正方法】変更
【補正の内容】
【０００８】
本発明の撮像装置は、撮影に係る制御が予め設定された複数の撮影モードの中から１つの撮影モードを設定する撮影モード設定手段と、該撮像装置の傾きを検出する傾き検出手段と、前記傾き検出手段により検出された傾きに応じた傾きガイド表示を表示手段に表示するための表示処理手段と、前記撮影モード設定手段にて設定される撮影モードに応じて、前記傾きガイド表示の表示を制御する表示制御手段とを有することを特徴としている。
本発明の別の撮像装置は、撮影に係る制御が予め設定された複数の撮影モードの中から１つの撮影モードを設定する撮影モード設定手段と、該撮像装置の傾きを検出する傾き検出手段と、前記傾き検出手段により検出された傾きに応じた傾きガイド表示を表示手段に表示するための表示処理手段と、前記撮影モード設定手段にて設定される撮影モードに応じて、前記傾き検出手段の検出感度を変更する検出感度変更手段とを有することを特徴としている。
本発明の撮像装置の制御方法は、撮影に係る制御が予め設定された複数の撮影モードの中から１つの撮影モードを設定する撮影モード設定手段と、該撮像装置の傾きを検出する傾き検出手段とを備え、前記傾き検出手段により検出された傾きに応じた傾きガイド表示を表示手段に表示する撮像装置の制御方法であって、前記撮影モード設定手段にて設定される撮影モードに応じて、前記傾きガイド表示の表示を制御することを特徴としている。
本発明の別の撮像装置の制御方法は、撮影に係る制御が予め設定された複数の撮影モードの中から１つの撮影モードを設定する撮影モード設定手段と、該撮像装置の傾きを検出する傾き検出手段とを備え、前記傾き検出手段により検出された傾きに応じた傾きガイド表示を表示手段に表示する撮像装置の制御方法であって、前記撮影モード設定手段にて設定される撮影モードに応じて、前記傾き検出手段の検出感度を変更することを特徴としている。
本発明のコンピュータプログラムは、撮影に係る制御が予め設定された複数の撮影モードの中から１つの撮影モードを設定する撮影モード設定手段と、該撮像装置の傾きを検出する傾き検出手段とを備え、前記傾き検出手段により検出された傾きに応じた傾きガイド表示を表示手段に表示する撮像装置を制御するためのコンピュータプログラムであって、前記撮影モード設定手段によって設定される撮影モードに応じて、前記傾きガイド表示の表示を制御する処理をコンピュータに実行させることを特徴としている。
本発明の別のコンピュータプログラムは、撮影に係る制御が予め設定された複数の撮影モードの中から１つの撮影モードを設定する撮影モード設定手段と、該撮像装置の傾きを検出する傾き検出手段とを備え、前記傾き検出手段により検出された傾きに応じた傾きガイド表示を表示手段に表示する撮像装置を制御するためのコンピュータプログラムであって、前記撮影モード設定手段にて設定される撮影モードに応じて、前記傾き検出手段の検出感度を変更する処理をコンピュータに実行させることを特徴としている。
本発明のコンピュータ読み取り可能な記録媒体は、本発明のコンピュータプログラムを記録したことを特徴としている。